(57)【特許請求の範囲】
【請求項１】
畳床本体部と畳表との間に面状発熱体が介設され、下面に面状発熱体への電気供給のための電極部を備えた複数枚の暖房畳と、
折りたたみ及び／又は巻き込み可能なシート材からなり、これら複数枚の暖房畳の下面側に敷設され、各暖房畳の下面電極部と電気的に接続される電極部を上面に備えると共に、この電極から延びる配線部を備えた電気供給用の面状ベース材と
を備え、前記複数枚の暖房畳が、この面状ベース材の上に、電極同士を電気的に接続するようにしてのせられていることを特徴とする畳室用の床暖房構造。
【請求項２】
畳床本体部と畳表との間に面状発熱体が介設され、下面の面内中央部に面状発熱体への電気供給のための電極部を備えた複数枚の暖房畳と、
これら複数枚の暖房畳の下面側に敷設され、各暖房畳の下面電極部と電気的に接続される電極部を上面に備えると共に、この電極から延びる配線部を備えた電気供給用の面状ベース材と
を備え、前記複数枚の暖房畳が、この面状ベース材の上に、電極同士を電気的に接続するようにしてのせられていることを特徴とする畳室用の床暖房構造。
【請求項３】
畳床本体部と畳表との間に面状発熱体が介設され、下面に面状発熱体への電気供給のための電極部を備えた複数枚の暖房畳と、
これら複数枚の暖房畳の下面側に敷設され、各暖房畳の下面電極部と電気的に接続される電極部を上面に備えると共に、この電極から延びる配線部を備えた電気供給用の面状ベース材と
を備え、前記複数枚の暖房畳が、この面状ベース材の上に、電極同士を電気的に接続するようにしてのせられており、かつ、面状ベース材には暖房畳の配置の位置を示す表示が備えられていることを特徴とする畳室用の床暖房構造。
【請求項４】
暖房畳の電極と電気供給用面状ベース材の電極とは、敷かれた電気供給用面状ベース材に対して暖房畳を上から下に下ろすことで、電気的に接続される式のものからなる請求項１乃至３のいずれか一に記載の畳室用の床暖房構造。
【請求項５】
折りたたみ及び／又は巻き込み可能なシート材からなり、複数枚の暖房畳の下面側に敷設され、各暖房畳の下面電極部と電気的に接続される電極部を上面に備えると共に、この電極から延びる配線部を備えていることを特徴とする畳室床暖房用の電気供給用面状ベース材。
【請求項６】
複数枚の暖房畳の下面側に敷設され、各暖房畳の下面電極部と電気的に接続される電極部を上面に備えると共に、この電極から延びる配線部を備え、かつ、暖房畳の配置の位置を示す表示が備えられていることを特徴とする畳室床暖房用の電気供給用面状ベース材。
【請求項７】
畳床本体部と畳表との間に面状発熱体が介設され、下面の面内中央部に面状発熱体への電気供給のための電極部を備えていることを特徴とする畳室床暖房用の暖房畳。
【発明の詳細な説明】
【０００１】
【発明の属する技術分野】
本発明は、畳室用の床暖房構造、電気供給用の面状ベース材及び暖房畳に関する。
【０００２】
【従来の技術】
フローリングの床に対してその下面側に温水管や電線を通して床暖房構造にすることは広く行われるようになっている。
【０００３】
しかしながら、和室などの畳室において、畳の下面側に温水管や電線を通す上記のような床暖房構造を採用することは、畳自体が断熱性を備えていて温水管や電線からの熱が畳の上面に伝わりにくく、また、温水管や電線の下に断熱材を敷く必要があり、その断熱材によって畳面が高くなってしまうなどの問題がある。
【０００４】
そこで最近、畳床本体部と畳表との間に面状発熱体を入れた暖房床用の畳が提供されている（例えば特開平１１−８１６３３号公報）。この畳は、畳自身の有する断熱性を司る畳床の上に面状発熱体を備えさせているため、熱が畳表を通じて畳の上面を暖めることができ、しかも、床下側へは畳床本体部の有する断熱性で熱が逃げにくいため畳面を高くしてしまうこともない。
【０００５】
【発明が解決しようとする課題】
しかしながら、上記の暖房床用の畳は、これを畳室において複数枚敷き並べて暖房床にする施工が、電気的な接続を行っていく上で、非常に厄介であるという問題があった。
【０００６】
即ち、例えば、複数枚の暖房畳からの各電気コードを電源へと延ばさなければならない。畳同士を電気的に接続する場合には、隣り合う畳の電気コード同士を接続しなければならないし、電気コードであるから余長のコード部分を収納するところも畳の下面側に確保しておかなければならない。
【０００７】
本発明は、上記のような従来の問題点に鑑み、複数枚の暖房畳の電気的な接続を極めて容易に行うことができる畳室用の床暖房構造、電気供給用の面状ベース材及び暖房畳を提供することを課題とする。
【０００８】
【課題を解決するための手段】
上記の課題は、畳床本体部と畳表との間に面状発熱体が介設され、下面に面状発熱体への電気供給のための電極部を備えた複数枚の暖房畳と、
これら複数枚の暖房畳の下面側に敷設され、各暖房畳の下面電極部と電気的に接続される電極部を上面に備えると共に、この電極から延びる配線部を備えた電気供給用の面状ベース材と
を備え、前記複数枚の暖房畳が、この面状ベース材の上に、電極同士を電気的に接続するようにしてのせられていることを特徴とする畳室用の床暖房構造によって解決される。
【０００９】
また、複数枚の暖房畳の下面側に敷設され、各暖房畳の下面電極部と電気的に接続される電極部を上面に備えると共に、この電極から延びる配線部を備えていることを特徴とする畳室床暖房用の電気供給用面状ベース材によって解決される。
【００１０】
更に、畳床本体部と畳表との間に面状発熱体が介設され、下面に面状発熱体への電気供給のための電極部を備えていることを特徴とする畳室床暖房用の暖房畳によって解決される。
【００１１】
上記によれば、電気供給用の面状ベース材を敷き、その上の所定の位置に、暖房畳を、その電極がベース材の電極と電気的に接続されるようにのせていれば、複数枚の暖房畳はそれらの各電極を通じて面状ベース材の側から電気の供給を受けることのできる状態となる。このように、電気供給用の面状ベース材を敷き、この面状ベース材の上にのせて電極同士を接続していくだけでよいので、施工を容易に行うことができ、また、電気コードが嵩張ることもない。
【００１２】
上記の面状ベース材が、折りたたみ及び／又は巻き込み可能なシート材からなる場合は、現場での面状ベース材の施工や除去を容易に行うことができる。
【００１３】
また特に、暖房畳の電極と電気供給用面状ベース材の電極とは、敷かれた電気供給用面状ベース材に対して暖房畳を上から下に下ろすことで、電気的に接続される式のものからなる場合は、暖房畳を面状ベース材の上にのせるだけで、暖房畳と面状ベース材とを電気的に接続することができ、施工を容易に行うことができる。
【００１４】
上記の暖房畳の電極が、暖房畳の下面の面内中央部に備えられている場合は、面状ベース材上面における暖房畳の向きを気にすることなく、所定の位置にのせていけば、その暖房畳の電極と対応する位置に面状ベース材の電極が存在することになり、電極同士を施工容易に接続していくことができる。
【００１５】
また、面状ベース材に暖房畳の配置の位置を示す表示が備えられている場合は、その配置の表示にしたがって暖房畳をのせていくだけで暖房畳の電極と対応する位置に面状ベース材の電極が存在し、電極同士をより一層容易に接続していくことができる。
【００１６】
【発明の実施の形態】
次に、本発明の実施形態を図面に基づいて説明する。
【００１７】
図１及び図２に示す実施形態の畳室用床暖房構造は６畳の和室１に適用した場合のもので、２は暖房畳、３は電気供給用の面状ベース材である。暖房畳２は６枚同じものが使用され、面状ベース材３は６畳用の１枚物が使用されて、畳室用床暖房構造を形成する。
【００１８】
図１（イ）に示すこの暖房畳２において、４は畳床、５は畳表、６，７はクッション層、そして、８が面状発熱体である。畳床４は、インシュレーションボード、ポリスチレンフォームなど発泡樹脂、それらを重ね合わせたもの、サンドイッチにしたもの、あるいは藁床などで構成されている。畳表５は、い草などによるもので、クッション層６を介して、畳床４の上面側に設けられている。面状発熱体８は、畳表５と畳床４との間であって、それらの間のクッション層６の下面側に入れられている。
【００１９】
この面状発熱体８は、電気で発熱しうる面状のものであればいずれのものでもよいが、畳表５を縫いつける際に断線を起こすおそれのない、例えば、導電性カーボンタイプのものや、導電性塗料タイプのものなどを用いるとよい。
【００２０】
そして、この暖房畳２において、図１（ロ）に示すように、その下面の面内中央部には、面状発熱体８の電極部９が設けられている。この電極部９は、＋極部９ａと−極部９ｂとを同心円状に組み合わせたものからなっており、この電極部９に電気を通すと、面状発熱体８が発熱し、暖房畳２の上面が暖められる。面状発熱体８からの熱は、畳床４による断熱作用で下方へは伝わりにくく、専ら暖房畳２の上面側へと伝えられる。この電極９は面状の電極であってもよいし、基部側が暖房畳２内部に埋め込まれているものであってもよい。
【００２１】
一方、電気供給用面状ベース材３は、図２（イ）（ロ）に示すように、六畳間の平面サイズを備えた折りたたみ及び／又は巻き込み可能なシート材からなっており、その上面に、６つの暖房畳２の配置位置を示す表示線１０が見えるように形成されている。そして、表示線１０で囲まれた各領域の面内中央部のそれぞれに、暖房畳２の下面の電極９と対応する電極部１１…が設けられている。これらの電極部１１…は、＋極部１１ａと−極部１１ｂとを同心円状に組み合わせたもので、＋極部１１ａと−極部１１ｂとが、暖房畳２の下面の電極部９の＋極部９ａと−極部９ｂとは配置が内外逆になるように備えられている。この電極部１１は、面状ベース材３の上面からの突出を小さくするため面状の電極で構成されているのがよい。
【００２２】
そして、面状ベース材３には、各電極部１１…に電気を供給するための配線部１２が面内に延ばされている。この配線部１２は、ベース材３への印刷によって備えられたものであってもよいし、フラットケーブルをベース材３に仕込んで形成したものであってもよいし、要は、ベース材３から面外方向に大きく突出しない態様で備えられたものであるのがよい。なお、このベース材３のいずれかの縁部において、この配線部１２からの導出配線部１３が延ばされ、この導出配線部１３が電源に接続されることで各電極部１１…に電気を供給することができるようになっている。
【００２３】
施工は、図２（ロ）に示すように、畳の敷かれていない和室１の床１ａに面状ベース材３を敷き、この面状ベース材３の上面に見える表示線１０にしたがって、暖房畳２を一枚づつ６枚のせていけば、暖房畳２の下面の電極部９が、面状ベース材３の上面の電極１１の上に重なることによって接触して接続される。その場合に、暖房畳２の向きを気にする必要はなく、表示線１０に合致するどの向きに向けてのせても、電極部９，１１同士は重なり合って接続される。以上のようにして、畳室１が床暖房構造となる。あとは、面状ベース材３の導出配線部１３を電源に接続しスイッチを入れれば、暖房畳２の面状発熱体８に通電され、畳の上面が暖められていく。
【００２４】
なお、通電は、６枚の暖房畳のすべてに対して同時になされるようになっていてもよいし、好みの一部の暖房畳に対しての通電できるようにコントロールすることができるようになっていてもよい。
【００２５】
また、畳表の裏返しや交換を行う場合も、単に、畳を取り外し、畳表の裏返しや交換を行った後、上記と同様にして修復された暖房畳を面状ベース材３の上にのせていくだけでよいし、暖房畳そのものの交換の場合も、古い暖房畳を取り外し、新しい暖房畳をのせていくだけでよく、これらの施工も容易に行っていくことができる。
【００２６】
更に、通電がうまくいかず、その原因が面状ベース材３にある場合には、この面状ベース材３のみを、修理や交換をするだけで復旧させることができ、メンテナンスも容易に行うことができる。その修理や交換も、面状ベース材３が折りたたみ及び／又は巻き込み可能なシート材からなっているので、容易に行っていくことができる。
【００２７】
以上に、本発明の実施形態を示したが、本発明はこれに限られるものではなく、発明思想を逸脱しない範囲で、各種の変更が可能である。例えば、上記の実施形態では、暖房畳２の下面の電極部９と面状ベース材３の電極部１１とは、暖房畳２を面状ベース材３の上に載せることで重ね合わせ状態となって接触し接続されるようになされている場合を示したが、その他の各種態様のものが採用されてよい。例えば、暖房畳２の側の電極部９をバネによる付勢力で下方に突出できる式のものに構成しておき、暖房畳２を面状ベース材３の上面にのせることで、暖房畳２の側の電極部９が、バネの付勢力に抗して下面側に後退していき、それによって、面状ベース材３の側の電極部１１に対して弾力的に当接して接触状態となるように構成されていてもよい。また、面状ベース材３の側の電極部１１を凸の電極部とし、暖房畳２の下面側の電極部９を凹の電極部とし、これら凹凸電極部同士の上下方向からの嵌合によって電気的に接続される構成としてもよい。要は、暖房畳２の電極部９と面状ベース材３の電極部１１とが、敷かれた面状ベース材３に対して暖房畳２を上から下に下ろすことで、電気的に接続される式のものからなっているのがよい。しかし、そのようなものに限らず、面状ベース材３の上に載せた暖房畳２を水平方向にずらすようにすることで電極部同士が接続される式のものであってもよい。
【００２８】
更に、上記の実施形態では、面状ベース材３として、シート状のものを用いた場合を示しているが、薄肉硬質板などが用いられてもよい。また、複数枚の面状ベース材を電気的に接続して敷くようにしてもよく、その場合であってもそれは容易に施工することができる。更に、面状ベース材３は、上記のように、打ち抜き部のない面状材であってもよいし、打ち抜き部のある面状材であってもよい。
【００２９】
また、上記の実施形態においては、６枚すべてを暖房畳とした場合を示しているが、６枚のうちの好みの枚数のみを暖房畳とし、残りの畳は普通の畳をのせるようにするのもよい。もちろん、８畳の和室や４畳半の和室などにも用いることができる構造であることはいうまでもない。
【００３０】
【発明の効果】
本発明は、以上のとおりのものであるから、複数枚の暖房畳の電気的な接続を極めて容易に行うことができる。
【図面の簡単な説明】
【図１】実施形態の暖房畳を示すもので、図（イ）は断面図、図（ロ）は下面側から見た斜視図である。
【図２】図（イ）は面状ベース材の平面図、図（ロ）は面状ベース材と暖房畳を分離状態にして示す斜視図である。
【符号の説明】
１…和室（畳室）
２…暖房畳
３…電気供給用面状ベース材
４…畳床
５…畳表
８…面状発熱体
９…電極部
１０…表示線
１１…電極部
１２…配線部
【図１】
0003953838.tif 000002
【図２】
0003953838.tif 000003